(57)【要約】      （修正有）【課題】開封後の食品の取り出しが容易であるとともに、簡易な工程で製造できる食品用包装体および食品用包装体の製造に用いられるフィルムロールを提供する。【解決手段】フィルムロール１は長尺帯状の食品包装用樹脂フィルム２が巻き回されて形成される。長尺帯は食品包装用樹脂フィルム２を長手方向に順次連続して形成される。２本のガイドラインフィルム３，３が長尺帯略中央に長手方向に沿って貼られる。切込４が１つの食品包装用樹脂フィルム２に対応して、長尺帯の短手方向に、ガイドラインフィルム３および食品包装用樹脂フィルム２を貫通するように設けられる。一般的なピロー包装装置を用いてフィルムロール１から包装体を製造する。ピロー包装工程において、切込４に対応して開封シール片が貼付される。【選択図】図１
2018039549.tif 000002
【特許請求の範囲】
【請求項１】
食品包装用樹脂フィルムを長手方向に順次連続して形成される長尺帯が、巻き回されて形成されるフィルムロールであって、
前記長尺帯略中央に長手方向に沿って貼られる、少なくとも１本のガイドラインフィルムと、
前記食品包装用樹脂フィルムに対応して、前記長尺帯の短手方向に、前記ガイドラインフィルムおよび前記食品包装用樹脂フィルムを貫通するように設けられる切込と
を備えることを特徴とするフィルムロール。
【請求項２】
前記ガイドラインフィルムの幅は、巻取可能な所定範囲に設定される
ことを特徴とする請求項１記載のフィルムロール。
【請求項３】
前記ガイドラインフィルムは２本であり、
前記ガイドラインフィルムの幅は、３−１０ｍｍである
ことを特徴とする請求項１記載のフィルムロール。
【請求項４】
前記ガイドラインフィルムは１本であり、
前記ガイドラインフィルムの幅は、１０ｍｍ以上である
ことを特徴とする請求項１記載のフィルムロール。
【請求項５】
食品包装用樹脂フィルムを長手方向に順次連続して形成される長尺帯が、巻き回されて形成されるフィルムロールであって、
前記長尺帯は短手方向より長手方向に切断しやすい破断指向性を有し、
前記食品包装用樹脂フィルムに対応して、前記長尺帯の短手方向に、前記食品包装用樹脂フィルムを貫通するように設けられる切込を備える
ことを特徴とするフィルムロール。
【請求項６】
前記切込は、
前記長尺帯の短手方向に延びる第１切込と、
前記第１切込の両端近傍位置から前記長尺帯の略長手方向または斜め外側方向に延びる第２切込と、
前記第１切込の一端部と前記第２切込部の一端部の間に設けられる非切断部と
を有することを特徴とする請求項１または請求項５記載のフィルムロール。
【請求項７】
食品包装用樹脂フィルムの両端がシールされて形成される裏フィルムと、
前記裏フィルムと対向する表フィルムと、
前記表フィルムの略中央に、シール方向と同じ方向に沿って貼られる、少なくとも１本のガイドラインフィルムと、
前記シール方向と直交する方向に、前記ガイドラインフィルムおよび前記表フィルムを貫通するように設けられる切込と、
前記切込を包含するように表フィルムに貼られる粘着部と、粘着部から延設され摘み可能な非粘着部とを有する開封シール片と、
を備えることを特徴とする食品用包装体。
【請求項８】
食品包装用樹脂フィルムの両端がシールされて形成される裏フィルムと、
前記裏フィルムと対向する表フィルムと、
前記表フィルムの略中央に、シール方向と同じ方向に沿って貼られる、少なくとも１本のガイドラインフィルムと、
前記表フィルムに、前記シール方向と直交する方向に、前記前記表フィルムを貫通するように設けられる切込と、
前記切込を包含するように表フィルムに貼られる粘着部と、粘着部から延設され摘み可能な非粘着部とを有する開封シール片と、
を備え、
前記食品包装用樹脂フィルムは、シール方向と直交する方向よりシール方向と同じ方向に切断しやすい破断指向性を有する
ことを特徴とする食品用包装体。
【発明の詳細な説明】
【技術分野】
【０００１】
本発明は、フィルムロールおよび該フィルムロールにより形成された食品用包装体に関する。
【背景技術】
【０００２】
おにぎりやパン・サンドイッチ等の食品はフィルムに包装されて、流通するのが通常である。一般に、ピロー包装により包装される。
【０００３】
具体的には、長手方向に連続して搬送される被包装物（食品）を供給するとともに、被包装物上にフィルムロールから包装用フィルムを供給し、被包装物を包み込むように包装用フィルムを長手方向と直交方向（短手方向）に曲げ、包装フィルムの短手方向両端部を重ねてシールする。これにより、筒状に表面と裏面が形成される。更に、長手方向両端部をシールし、被包装物の周囲全体を包装用フィルムで包囲し、包装体が形成される。同時に、各包装体を切り離す。
【０００４】
ところで、このような包装体は、確実に包装されるだけでなく、容易に開封されること（易開封性）も要求される。
【０００５】
さらに、使用状態においても、開封後の食品の取り出しの容易性等が要求されている。
【０００６】
例えば、特許文献１に係る包装体では、包装体表面の短手方向両端をサイドガゼットとの重ね合わせ構造とするとともに、重ね合わせ位置に長手方向に沿って弱シールラインを設け、さらに最端部を切断除去する。
【０００７】
これにより、表面には幅広な開封部が形成される。幅広な開封部を捲ると大きな開口が形成され、上方から容易に食品を取り出すことができる。おにぎりやパン・サンドイッチ等の食品は、簡易トレイを介して内包されることも多い。この場合、簡易トレイを引き出す必要がない。また、包装体自体を簡易トレイとして用いることにより、簡易トレイが不要になる。
【先行技術文献】
【特許文献】
【０００８】
【特許文献１】特願２００９−０１２８４４号公報
【発明の概要】
【発明が解決しようとする課題】
【０００９】
特許文献１に係る包装体は、開封後の食品の取り出しの容易性という点において優れている。
【００１０】
しかしながら、構造が複雑であり、これに伴い工程が複雑である。特に、山折り状の襞部が４列形成され一部シールされた状態で、フィルムは巻き回され、ロールが形成されている。
【００１１】
襞部形成範囲ではフィルムが３重になる。その結果、襞部形成範囲と襞部非形成範囲では厚さが大きく異なる。フィルムが巻き回されると、フィルム厚さの違いに起因して、ロール形状の維持が難しくなる。
【００１２】
また、襞部のうちシール形成部は巻き回しても形状を維持できるが、襞部のうちシール非形成部は巻き回すとズレるおそれがある。この点でもロール形状の維持が難しい。
【００１３】
このように、ロール形状を維持しながらの包装体形成は困難を伴う。更に、襞形成工程、襞端部切断工程等、複雑な工程を必要とする。その結果、一般的なピロー包装装置での製造が難しい。
【００１４】
本発明は、開封後の食品の取り出しが容易であるとともに、簡易な工程で製造できる食品用包装体および食品用包装体の製造に用いられるフィルムロールを提供することを目的とする。
【課題を解決するための手段】
【００１５】
上記課題を解決する本発明の一態様であるフィルムロールは、食品包装用樹脂フィルムを長手方向に順次連続して形成される長尺帯が、巻き回されて形成される。フィルムロールは前記長尺帯略中央に長手方向に沿って貼られる、少なくとも１本のガイドラインフィルムと、前記食品包装用樹脂フィルムに対応して、前記長尺帯の短手方向に、前記ガイドラインフィルムおよび前記食品包装用樹脂フィルムを貫通するように設けられる切込とを備える。
【００１６】
上記発明において、好ましくは、前記ガイドラインフィルムの幅は、巻取可能な所定範囲に設定される。
【００１７】
上記発明において、好ましくは、前記ガイドラインフィルムは２本であり、前記ガイドラインフィルムの幅は、３−１０ｍｍである。
【００１８】
上記発明において、好ましくは、前記ガイドラインフィルムは１本であり、前記ガイドラインフィルムの幅は、１０ｍｍ以上である。
【００１９】
上記課題を解決する本発明の一態様であるフィルムロールは、食品包装用樹脂フィルムを長手方向に順次連続して形成される長尺帯が、巻き回されて形成される。前記長尺帯は短手方向より長手方向に切断しやすい破断指向性を有する。フィルムロールは、前記食品包装用樹脂フィルムに対応して、前記長尺帯の短手方向に、前記食品包装用樹脂フィルムを貫通するように設けられる切込を備える。
【００２０】
上記発明において、好ましくは、前記切込は、前記長尺帯の短手方向に延びる第１切込と、前記第１切込の両端近傍位置から前記長尺帯の略長手方向または斜め外側方向に延びる第２切込と、前記第１切込の一端部と前記第２切込部の一端部の間に設けられる非切断部とを有する。
【００２１】
上記課題を解決する本発明の一態様である食品用包装体は、食品包装用樹脂フィルムの両端がシールされて形成される裏フィルムと、前記裏フィルムと対向する表フィルムと、前記表フィルムの略中央に、シール方向と同じ方向に沿って貼られる、少なくとも１本のガイドラインフィルムと、前記シール方向と直交する方向に、前記ガイドラインフィルムおよび前記表フィルムを貫通するように設けられる切込と、前記切込を包含するように表フィルムに貼られる粘着部と、粘着部から延設され摘み可能な非粘着部とを有する開封シール片と、を備える。
【００２２】
上記課題を解決する本発明の一態様である食品用包装体は、好ましくは、食品包装用樹脂フィルムの両端がシールされて形成される裏フィルムと、前記裏フィルムと対向する表フィルムと、前記表フィルムの略中央に、シール方向と同じ方向に沿って貼られる、少なくとも１本のガイドラインフィルムと、前記表フィルムに、前記シール方向と直交する方向に、前記前記表フィルムを貫通するように設けられる切込と、前記切込を包含するように表フィルムに貼られる粘着部と、粘着部から延設され摘み可能な非粘着部とを有する開封シール片と、を備え、前記食品包装用樹脂フィルムは、シール方向と直交する方向よりシール方向と同じ方向に切断しやすい破断指向性を有する。
【発明の効果】
【００２３】
本発明の食品用包装体によれば、開封後の食品の取り出しが容易であるとともに、簡易な工程により製造できる。
【００２４】
本発明のフィルムロールによれば、上記食品用包装体を容易に製造できる。
【図面の簡単な説明】
【００２５】
【図１】本発明の第１実施形態に係るフィルムロールの概略斜視図である。
【図２】切込のバリエーションを示す図である。
【図３】ピロー包装の概略工程を説明する概略図である。
【図４】ピロー包装工程の一部を説明する概略図である。
【図５】（Ａ）開封シール片の構成図である。（Ｂ）開封シール片貼付と切込の位置関係の説明図である。
【図６】（Ａ）変形例に係る開封シール片の構成図である。（Ｂ）変形例に係る開封シール片貼付と切込の位置関係の説明図である。
【図７】（Ａ）本発明の第１実施形態に係る食品用包装体の概略斜視図である。（Ｂ）本発明の第１実施形態に係る食品用包装体の開封動作を説明する図である。
【図８】本発明の第２実施形態に係るフィルムロールの概略斜視図である。
【図９】本発明の第３実施形態に係るフィルムロールの概略斜視図である。
【図１０】（Ａ）本発明の第３実施形態に係る食品用包装体の概略斜視図である。（Ｂ）本発明の第３実施形態に係る食品用包装体の開封状態を説明する図である。
【発明を実施するための形態】
【００２６】
〜第１実施形態  フィルムロール〜
【００２７】
図１は第１実施形態に係るフィルムロールの概略斜視図である。
【００２８】
本発明におけるフィルムロール１は、長尺帯状の食品包装用樹脂フィルム２が巻き回されて形成される。１つの包装体を形成する食品包装用樹脂フィルム２が長手方向（後述する搬送方向）に順次連続することにより、長尺帯が形成される。
【００２９】
樹脂材質としては、ポリエチレン系樹脂材料、ポリプロピレン系樹脂材料などのオレフィン系樹脂材料等を例示することができる。フィルム種類は、特に限定されるものではなく、無延伸フィルムや延伸フィルムを用いられてもよい。
【００３０】
食品包装用樹脂フィルム２の厚さは２０〜４０μｍであることが一般的である。
【００３１】
長尺帯状の食品包装用樹脂フィルム２の短手方向（長手方向と直交する方向）略中央には、長手方向に沿って２本のガイドラインフィルム３，３が貼られている。
【００３２】
ガイドラインフィルム３の幅は、３−１０ｍｍであることが好ましく、５−１０ｍｍであることが好ましい。ガイドラインフィルム３の厚さは、食品包装用樹脂フィルム２と同等またはそれ以下が好ましい。具体的には、２０〜４０μｍであることが好ましい。ガイドラインフィルム３には包装性能が要求されないため、食品包装用樹脂フィルム２より薄くしてもよい。
【００３３】
これにより、フィルムが巻き回されロールが形成される際に、ロール形状の維持が容易になる。なお、３ｍｍ未満となると、フィルムが巻き回された際に、ガイドラインフィルム３が同じ位置にすることが難しく、ロール形状の維持が難しくなる。
【００３４】
ガイドラインフィルム３，３の間に開封時開口部が形成される（後述）ため、ガイドラインフィルム３，３間はなるべく広い方が好ましい。
【００３５】
１つの食品包装用樹脂フィルム２に対応するように、長尺帯の短手方向に延びる切込４が設けられている。切込４は、食品包装用樹脂フィルム２およびガイドラインフィルム３を貫通する。
【００３６】
図２は、切込４のバリエーションを示す図である。切込４は切込（第１）４１と切込（第２）４２とからなる。
【００３７】
切込４１は長尺帯の短手方向に延びる。切込４２は切込４１の両端相当位置から長尺帯の略長手方向または斜め外側方向に延びる。
【００３８】
図２Ａに示す切込では、切込４１はガイドラインフィルム３，３を短手方向に横断する。切込４２，４２は切込４１の両端相当位置からガイドラインフィルム３，３の外側に沿って長尺帯の長手方向に微量延びる。切込４１と切込４２は略円弧状に連続している。その結果、切込４は略コの字状となる。
【００３９】
切込４１において食品包装用樹脂フィルム２が捲り上げられると、引き続いて切込４２において食品包装用樹脂フィルム２が捲り上げられ、付勢力が形成され、切込４２他端部よりガイドラインフィルム３，３の外側に沿って長手方向に食品包装用樹脂フィルム２を切断する。
【００４０】
図２Ｂに示す切込では、切込４１はガイドラインフィルム３，３を短手方向に横断する。切込４２，４２は切込４１の両端近傍位置からガイドラインフィルム３，３の外側に沿って長尺帯の長手方向に微量延びる。切込４１端部と切込４２端部の間には食品包装用樹脂フィルム２を切断していない非切断部４３が設けられている。図２Ｂに示す切込は、図２Ａに示す切込に非切断部４３を付加したものである。
【００４１】
切込４１において食品包装用樹脂フィルム２が捲り上げられると、非切断部４３も切断され、引き続いて切込４２において食品包装用樹脂フィルム２が捲り上げられ、付勢力が形成され、切込４２他端部よりガイドラインフィルム３，３の外側に沿って長手方向に食品包装用樹脂フィルム２を切断する。
【００４２】
図２Ｃに示す切込では、切込４１はガイドラインフィルム３，３の間に短手方向に設けられる。切込４２，４２は切込４１の両端近傍位置から斜めに外側に開くように（略ハの字状に）延び、ガイドラインフィルム３，３を横断する。切込４１端部と切込４２端部は短手方向略同位置にある。切込４１端部と切込４２端部の間には非切断部４３が設けられている。
【００４３】
切込４１において食品包装用樹脂フィルム２が捲り上げられると、非切断部４３も切断され、引き続いて切込４２において食品包装用樹脂フィルム２が捲り上げられ、付勢力が形成され、切込４２他端部よりガイドラインフィルム３，３の外側に沿って長手方向に食品包装用樹脂フィルム２を切断する。
【００４４】
図２Ｄに示す切込は、図２Ｃに示す切込に切込（第３）４４を付加したものである。切込４４，４４は切込４１の両端相当位置から長尺帯の長手方向に微量延びる。切込４１と切込４２は連続している。
【００４５】
切込４１において食品包装用樹脂フィルム２が捲り上げられると、引き続いて切込４４において食品包装用樹脂フィルム２が捲り上げられるように誘導され、非切断部４３も切断され、引き続いて切込４２において食品包装用樹脂フィルム２が捲り上げられ、付勢力が形成され、切込４２他端部よりガイドラインフィルム３，３の外側に沿って長手方向に食品包装用樹脂フィルム２を切断する。
【００４６】
〜ピロー包装〜
図３は、ピロー包装の概略工程を説明する概略図である。
【００４７】
長手方向に連続して搬送される被包装物（食品）を供給するとともに、被包装物上にフィルムロール１から食品包装用樹脂フィルム２を供給する。
【００４８】
図４は、食品包装用樹脂フィルム２から包装体５を形成する包装工程の一部を説明する概略図である。
【００４９】
被包装物を包み込むように食品包装用樹脂フィルム２を短手方向に曲げ、食品包装用樹脂フィルム２の短手方向両端部を重ねてシールする。これにより、筒状に表面２１と裏面２２が形成される。
【００５０】
図３に戻り、更に長手方向両端部をシールし、被包装物の周囲全体を包装用フィルムで包囲し、包装体５が形成される。同時に、各包装体５を切り離す。
【００５１】
すなわち、本実施形態ではロール形状の維持が容易であり、包装体の製造工程が一般のピロー包装と同じであるため、一般的なピロー包装装置での製造が可能である。
【００５２】
このとき、切込４が図２Ｂ，Ｃ，Ｄのように非切断部４３を有していると、ピロー包装工程において意図せず切込４が捲り上がって食品包装用樹脂フィルム２が破断することがない。
【００５３】
本実施形態では、ピロー包装工程において、切込４に対応して開封シール片６が貼付される（後述）。
【００５４】
〜開封シール片〜
図５Ａは開封シール片６の構成図である。開封シール片６は、粘着部６１と非粘着部６２とを有する。図５Ｂは開封シール片６貼付と切込４の位置関係の説明図である。
【００５５】
粘着部６１は切込４を包含するように食品包装用樹脂フィルム２に貼付られる。一方で、非粘着部６２には粘着剤は塗付されていない。非粘着部６２は粘着部６１と連続して、開封シール片６が形成される。
【００５６】
図示の例の場合、開封シール片６は矩形領域と台形領域が連続した形状をしており、非粘着部６２は台形領域に形成される。粘着部６１は台形領域の残りと矩形領域に形成される。
【００５７】
非粘着部６２が開封方向上流側となるように、開封シール片６は食品包装用樹脂フィルム２に貼付られる。これにより、非粘着部６２は包装体５における摘み６２として機能する（後述）。
【００５８】
なお、開封シール片６が切込４を包含する限り、開封シール片６の寸法は限定されるものではないが、開封時開口部（後述）に応じて寸法が設定される。開封後の食品の取り出しが容易であるように開封時開口部寸法が設定されると、開封シール片寸法も比較的大きくなる。したがって、開封シール片６を表ラベルやＰＯＳラベルなどの各種のラベルシートとして用いてもよい。
【００５９】
摘み６２の寸法は、指で摘まむことができる程度確保されていれば特に限定されるものではない。
【００６０】
開封シール片６の材質は、粘着剤塗付可能であれば特に限定されるものではなく、例えば、フィルム材、紙、コート紙等適宜選択可能である。
【００６１】
粘着剤として例えば、ウレタン系粘着剤、アクリル系粘着剤、シリコーン系粘着剤などを適宜用いることができる。
【００６２】
図６Ａは別の開封シール片６の構成図である。特に、図２Ｃまたは図２Ｄ示す切込に好適である。図６Ｂは別に開封シール片６貼付と切込４の位置関係の説明図である。
【００６３】
開封シール片６が、粘着部６１と非粘着部６２とを有する点、および、粘着部６１が切込４を包含するように食品包装用樹脂フィルム２に貼付られる点で、共通する。
【００６４】
図示の例の場合、開封シール片６は矩形領域（小）と台形領域と矩形領域（大）が連続した形状をしている。
【００６５】
非粘着部６２は矩形領域（小）に形成される。粘着部６１は矩形領域（小）の残りと台形領域および矩形領域（大）に形成される。
【００６６】
開封シール片６貼付状態において、切込４１は矩形領域（小）残部に対応する位置となり、切込４２は台形領域に対応する位置となる。その結果、開封シール片６台形部斜辺と切込４２ハの字形状は略平行になる。
【００６７】
図５に示す摘み６２に比べ、図６に示す摘み６２は短手方向（開封方向直角方向）幅が狭くなっており、対応する粘着箇所幅も狭くなっている。これにより、後述の開封動作と比較して、より小さな力で粘着を剥し始めることができる。
【００６８】
また、開封シール片６台形部斜辺は切込４２ハの字形状に対応しており、両者の間隔も短い。一方、切込４１により力は伝達されず、切込４２ハの字形状内側の粘着は維持される。すなわち、粘着を剥す面積も少ない。これにより、より小さな力で開封できる。
【００６９】
〜第１実施形態  包装体〜
図７Ａは、第１実施形態に係る包装体５の概略斜視図である。
【００７０】
包装体５は、対向する表フィルム２１と裏フィルム２２と、サイドフィルム２３，２３とから構成される。
【００７１】
裏フィルム２２は食品包装用樹脂フィルム２の短手方向両端部が重なりシールされることにより形成される。表フィルム２１と裏フィルム２２とは長手方向両端においてシールされている。被包装物は包装体５により密封されている。図示の例では簡易トレイ付のサンドイッチが包装されている。
【００７２】
表フィルム２１の短手方向略中央には、長手方向に沿って２本のガイドラインフィルム３，３が貼られている。
【００７３】
また、表フィルム２１の一端部側（後述する開封方向上流側）には、切込４が短手方向に延びるように設けられている。切込４は、表フィルム２１およびガイドラインフィルム３を貫通している。
【００７４】
切込４に対応して開封シール片６が貼付される。開封シール片６のうち貼付されていない領域は摘み６２を形成する。
【００７５】
図７Ｂは、第１実施形態に係る食品用包装体の開封動作を説明する図である。
【００７６】
摘み６２を摘まみ、開封シール片６を捲る。このとき、摘み６２が台形状であるため、開封シール片６を引き剥がすために要する力を徐々に大きくしながら、スムーズに開封シール片６を剥がすことができる。
【００７７】
これにより付勢力が形成され、付勢力は切込４に誘導され、ガイドラインフィルム３，３の外側に沿って長手方向に表フィルム２１が切断される。このとき、ガイドラインフィルム３，３により、切断ラインが意図せず内側に入り込むことを防止できる。表フィルム２１の他端部側（開封方向下流側）まで切断されると、開封シール片６を捲るのをやめる。
【００７８】
このように、本実施形態の包装体５は容易に開封できる。開封に伴い表フィルム２１ではガイドラインフィルム３，３の間に比較的大きな開封時開口部３１が形成される。
【００７９】
開封時開口部３１を介して上方から容易に食品を取り出すことができる。サンドイッチは簡易トレイ上に乗っているが、簡易トレイを引き出す必要がない。
【００８０】
さらに、図示では簡易トレイを用いているが、包装体５自体を簡易トレイとして用いることもできる。
【００８１】
また、サンドイッチが一部余った場合は、開封方向と逆方向に開封シール片６を移動させ、開封シール片６を表フィルム２１に仮止めさせることにより、再び封を閉じることができる。
【００８２】
開封時開口部３１周りのフィルムを切断することにより、開口を更に拡大させることができる。これにより、食品取り出しに係る容易性がさらに向上する。
【００８３】
〜第２実施形態〜
本発明は上記実施形態に限定されるものでなく、本発明の技術思想の範囲において種々の変形が可能である。以下、第２実施形態について説明する。
【００８４】
図８は第２実施形態に係るフィルムロールの概略斜視図である。長尺帯状の食品包装用樹脂フィルム２の短手方向略中央には、長手方向に沿って１本のガイドラインフィルム３が貼られている。その他の構成は、第1実施形態と共通する。
【００８５】
ガイドラインフィルム３の幅は、１０ｍｍ以上であることが好ましい。ガイドラインフィルム３幅が開封時開口部３１幅にほぼ相当するため、ガイドラインフィルム３幅はなるべく広い方が好ましい。
【００８６】
これにより、フィルムが巻き回されロールが形成される際に、ロール形状の維持が容易になる。
【００８７】
次いで、第２実施形態に係る食品用包装体の開封動作を説明する（図示省略）。
【００８８】
摘み６２を摘まみ、開封シール片６を捲る。これにより付勢力が形成され、付勢力は切込４に誘導され、ガイドラインフィルム３の短手方向両端外側に沿って長手方向に表フィルム２１が切断され、包装体５は開封される。このとき、ガイドラインフィルム３により、切断ラインが意図せず内側に入り込むことを防止できる。
【００８９】
開封に伴い表フィルム２１ではガイドラインフィルム３相当の比較的大きな開封時開口部３１が形成される。
【００９０】
〜第３実施形態〜
図９は第３実施形態に係るフィルムロールの概略斜視図である。フィルムロール１は、食品包装用樹脂フィルム２が巻き回されて長尺帯状に形成される。
【００９１】
食品包装用樹脂フィルム２は、一軸延伸フィルムであることが好ましい。長尺帯は短手方向より長手方向に切断しやすい破断指向性を有する。
【００９２】
第１および第２実施形態はガイドラインフィルム３を備えるのに対し、第３実施形態ではガイドラインフィルム３を必要としない。
【００９３】
１つの食品包装用樹脂フィルム２に対応するように、長尺帯の短手方向に延びる切込４が設けられている。切込４は、食品包装用樹脂フィルム２を貫通する。
【００９４】
本実施形態においては、図２Ｂ〜Ｄ相当の非切断部４３を有する切込４が好ましい。これによりピロー包装工程において意図せず切込４が捲り上がって食品包装用樹脂フィルム２が破断することがない。
【００９５】
図１０Ａは第３実施形態に係る食品用包装体の概略斜視図である。
【００９６】
包装体５は、対向する表フィルム２１と裏フィルム２２と、サイドフィルム２３，２３とから構成される。被包装物は包装体５により密封されている。図示の例では調理パンが包装されている。
【００９７】
表フィルム２１の一端部側には、切込４が短手方向に延びるように設けられている。切込４は、表フィルム２１を貫通している。
【００９８】
切込４に対応して開封シール片６が貼付される。開封シール片６のうち表フィルム２１に貼付されていない領域は摘み６２を形成する。
【００９９】
図１０Ｂは第３実施形態に係る食品用包装体の開封状態を説明する図である。
【０１００】
摘み６２を摘まみ、開封シール片６を捲る。これにより付勢力が形成され、付勢力は切込４に誘導される。表フィルム２１は長手方向に切断しやすい破断指向性を有するため、長手方向に表フィルム２１が真っ直ぐ切断され、包装体５は開封される。開封に伴い表フィルム２１では比較的大きな開封時開口部３１が形成される。
【０１０１】
本実施形態では、表フィルム２１が破断指向性を有するためガイドラインフィルムは必要なくなる。その結果、ロール形状の維持が更に容易になる等、製造容易性が向上する。
【符号の説明】
【０１０２】
１  フィルムロール
２  食品包装用樹脂フィルム
３  ガイドラインフィルム
４  切込
５  包装体
２１  表フィルム
２２  裏フィルム
２３  サイドフィルム
３１  開封時開口部
４１  第１切込
４２  第２切込
４３  非切断部
４４  第３切込
６１  粘着部
６２  非粘着部（摘み）
【図１】
2018039549.tif 000003
【図２】
2018039549.tif 000004
【図３】
2018039549.tif 000005
【図４】
2018039549.tif 000006
【図５】
2018039549.tif 000007
【図６】
2018039549.tif 000008
【図７】
2018039549.tif 000009
【図８】
2018039549.tif 000010
【図９】
2018039549.tif 000011
【図１０】
2018039549.tif 000012